(57)【特許請求の範囲】
【請求項１】
セキュリティ証明具から認証情報を読み取って、セキュリティの認証を行うセキュリティ認証装置において、
前記セキュリティ証明具に設けられた透光部の、該透光部の製造時に生じた光学特性ムラに基づく光学的模様を、前記認証情報として読み取る画像認識手段と、
この画像認識手段が読み取った前記光学的模様を、予め登録された前記光学的模様と比較することにより、前記セキュリティの認証を行う認証手段と
を備え、
前記画像認識手段が、
前記セキュリティ証明具の前記透光部へ照射する光を生成する照明手段と、
この照明手段から前記透光部に照射される光を偏光する第１の偏光手段と、
前記透光部を透過した光を偏光する第２の偏光手段と、
この第２の偏光手段で偏光された光を撮像して、偏光された光によって視認可能となる前記光学的模様を読み取る撮像手段と
を備える
ことを特徴とするセキュリティ認証装置。
【請求項２】
前記画像認識手段が、前記第１の偏光手段または前記第２の偏光手段の少なくとも一方を回転させる回転駆動手段をさらに備え、
前記撮像手段が、１種類または複数種類の回転角における前記光学的模様を読み取り、且つ、
前記認証手段が、前記撮像手段が読み取った１種類または複数種類の前記光学的模様を、予め登録された当該回転角における前記光学的模様とそれぞれ比較することにより、前記セキュリティの認証を行う、
ことを特徴とする請求項１に記載のセキュリティ認証装置。
【請求項３】
セキュリティ証明具から認証情報を読み取って、セキュリティの認証を行うセキュリティ認証装置において、
前記セキュリティ証明具に設けられた透光部の、該透光部の製造時に生じた光学特性ムラに基づく光学的模様を、前記認証情報として読み取る画像認識手段と、
この画像認識手段が読み取った前記光学的模様を、予め登録された前記光学的模様と比較することにより、前記セキュリティの認証を行う認証手段と
を備え、
前記画像認識手段が、
照明手段から出射され、第１の偏光手段で偏光された後で前記透光部を透過した光を、前記セキュリティ証明具から入力して偏光する、第２の偏光手段と、
この第２の偏光手段で偏光された光を撮像して、偏光された光によって視認可能となる前記光学的模様を読み取る撮像手段と
を備える
ことを特徴とするセキュリティ認証装置。
【請求項４】
前記画像認識手段が、前記第２の偏光手段を回転させる回転駆動手段をさらに備え、
前記撮像手段が、１種類または複数種類の回転角における前記光学的模様を読み取り、且つ、
前記認証手段が、前記撮像手段が読み取った１種類または複数種類の前記光学的模様を、予め登録された当該回転角における前記光学的模様とそれぞれ比較することにより、前記セキュリティの認証を行う、
ことを特徴とする請求項３に記載のセキュリティ認証装置。
【請求項５】
セキュリティ認証装置にセキュリティの認証を行わせるための認証情報を有するセキュリティ証明具において、
前記認証情報が、透光部の製造時に生じた光学特性ムラに基づく光学的模様であって、
前記光学的模様は、偏光された光によって視認可能となる
ことを特徴とするセキュリティ証明具。
【請求項６】
前記光学的模様を有するカード状の透光性樹脂基板を備え、この樹脂基板の一部または全部を前記透光部としたことを特徴とする請求項５に記載のセキュリティ証明具。
【請求項７】
前記透光部としての、前記光学的模様を有する透光性樹脂基板と、
前記透光性樹脂基板へ照射する光を生成する照明手段と、
この照明手段から前記透光性樹脂基板に照射される光を偏光する第１の偏光手段と、
を備えることを特徴とする請求項５に記載のセキュリティ証明具。
【請求項８】
前記光学特性ムラが、前記透光部の成形時に発生した同一の透光性材料の歪みまたは厚さムラによる光学特性ムラであることを特徴とする請求項５〜７のいずれかに記載のセキュリティ証明具。
【請求項９】
セキュリティ認証装置にセキュリティの認証を行わせるための認証情報を有するセキュリティ証明具の製造方法において、
成形型に、１または複数の材料投入口から同一の透光性材料を投入するとともに、１または複数の材料排出口から前記透光性材料を排出することによって、透光部を成形する成形工程を備え、
この成形工程における、前記透光性材料の投入速度、投入圧力または排出速度の一種類以上を制御することにより、光学的模様として、成形される前記透光部に歪みまたは厚さムラを発生させること
を特徴とするセキュリティ証明具の製造方法。
【発明の詳細な説明】
【０００１】
【発明の属する技術分野】
この発明は、セキュリティ証明具から認証情報を読み取って、セキュリティの認証を行う技術に関する。
【０００２】
【従来の技術】
従来、セキュリティのために正当利用者を認証する技術としては、例えば磁気カードやＩＣ(Integrated Circuit)カード等の認証カードを使用するものが知られている。
【０００３】
例えば、金融機関のＡＴＭ(Automatic Tellers Machine) 等では、一般に、利用者の認証に磁気カードが使用される。この装置では、磁気カードと暗証番号とによって、当該利用者の正当性を認証する。
【０００４】
また、電子ロックシステムには、磁気カードやＩＣカード等を鍵の代わりに使用するものがある。すなわち、このシステムでは、建物や部屋への不正進入を防止するために、磁気カードやＩＣカード等を用いた認証を行う。
【０００５】
さらに、近年では、パーソナルコンピュータに保存されたデータの盗難やインターネットへの不正アクセスを防止するために、認証カードを用いて認証を行う装置が登場している。この装置を用いたコンピュータシステムでは、利用者の正当性を認証されなかった場合には、パーソナルコンピュータの起動やインターネットへの接続が、禁止される。
【０００６】
【発明が解決しようとする課題】
しかしながら、従来の認証カード、すなわち磁気カードやＩＣカードには、以下のような理由により、偽造を行いやすいという欠点があった。
【０００７】
磁気カードやＩＣカードでは、磁気ストライプや内蔵ＩＣに電子データを記憶し、この電子データを用いて認証を行っている。すなわち、磁気カードやＩＣカードを認証装置にセットして電子データを読み取らせ、この電子データが認証装置に登録された電子データと一致した場合に、利用者等が正当であると認証している。しかし、電子データは、簡単な装置で、磁気カードやＩＣカードから容易に読み取ることができ、且つ、他の磁気カードやＩＣカードに容易にコピーすることができる。このため、第三者は、正当利用者の磁気カードやＩＣカードを一時的に持ち出すこと等により、容易に偽造カードを作成することができる。したがって、磁気カードやＩＣカード等を用いた認証技術には、セキュリティの信頼性が低いという欠点がある。
【０００８】
これに対して、近年では、利用者の身体的特徴を認証情報として利用した認証技術が登場している。例えば、指紋、虹彩（アイリス）、網膜、顔貌等を認証情報として使用する技術が知られている。これらの身体的特徴は、個人によって微妙に異なり、全く同じであることはないので、信頼性の高い認証情報になる。特に、指紋による認証は、装置が小型且つ低価格で製造できるため、上述の電子ロックシステムやパーソナルコンピュータシステムの認証装置として、既に商品化されている。
【０００９】
しかし、身体的特徴を用いた認証技術には、不慮の事故等でその身体部分を損なった場合に認証を受けることができないという欠点や、身体的な障害を持つ人にとって利用し難いという欠点がある。また、第三者が正当利用者を脅迫或いは殺害して認証を受けようとする可能性が予想され、重大な犯罪に結びつくおそれがある。さらに、自分の身体的特徴を予め登録することに対して、利用者の不安・反発が生じるおそれもある。加えて、例えば虹彩や網膜等を利用する場合等、身体的特徴を装置に検出させる際の衛生管理が問題となるおそれもある。
【００１０】
このような理由から、利用者の身体的特徴を利用せず、且つ、認証情報の不正なコピーが困難な、認証技術が嘱望されていた。
【００１１】
【課題を解決するための手段】
（１）第１の発明は、セキュリティ証明具から認証情報を読み取って、セキュリティの認証を行うセキュリティ認証装置に関する。
【００１２】
そして、セキュリティ証明具に設けられた透光部の製造時に生じた光学特性ムラに基づく光学的模様を、認証情報として読み取る画像認識手段と、この画像認識手段が読み取った光学的模様を、予め登録された光学的模様と比較することにより、セキュリティの認証を行う認証手段とを備える。画像認識手段は、セキュリティ証明具の透光部へ照射する光を生成する照明手段と、この照明手段から透光部に照射される光を偏光する第１の偏光手段と、透光部を透過した光を偏光する第２の偏光手段と、この第２の偏光手段で偏光された光を撮像して、偏光された光によって視認可能となる光学的模様を読み取る撮像手段とを備える。
【００１３】
（２）第２の発明は、セキュリティ認証装置にセキュリティの認証を行わせるための認証情報を有するセキュリティ証明具に関する。
【００１４】
そして、認証情報が、透光部の製造時に生じた光学特性ムラに基づく光学的模様であって、光学的模様は、偏光された光によって視認可能となることを特徴とする。
【００１５】
（３）第３の発明は、セキュリティ認証装置にセキュリティの認証を行わせるための認証情報を有するセキュリティ証明具の製造方法に関する。
【００１６】
そして、成形型に、１または複数の材料投入口から同一の透光性材料を投入するとともに、１または複数の材料排出口から前記透光性材料を排出することによって、透光部を成形する成形工程を備え、この成形工程における、前記透光性材料の投入速度、投入圧力および排出速度の少なくともいずれかを制御することにより、光学的模様として、成形される前記透光部に歪みまたは厚さムラを発生させることを特徴とする。
【００１７】
（４）第１、第２の発明によれば、製造時に発生した透光部の光学特性ムラに基づく光学的模様を認証情報として使用するので、第三者がセキュリティ証明具を偽造して不正に認証を受けることを有効に防止できる。また、第３の発明によれば、このセキュリティ認証具を、簡単且つ安価に製造することができる。
【００１８】
【発明の実施の形態】
以下、この発明の実施の形態について、図面を用いて説明する。なお、図中、各構成成分の大きさ、形状および配置関係は、本発明が理解できる程度に概略的に示してあるにすぎず、また、以下に説明する数値的条件は単なる例示にすぎない。
【００１９】
第１の実施の形態
以下、この発明の第１の実施の形態について、説明する。
【００２０】
図１は、この実施の形態に係るセキュリティ認証装置の構成を概略的に示す概念図である。
【００２１】
図１に示したように、このセキュリティ認証装置１００の筐体１０１内には、カード受入部１１０、撮像部１２０、認証制御部１３０、表示部１４０および電源部１５０が設けられている。
【００２２】
カード受入部１１０は、セキュリティ証明具としてのセキュリティカード２００を受け入れるための機構であり、挿入口１１１、走行ガイド１１２および光センサ１１３を備えている。
【００２３】
ここで、挿入口１１１は、セキュリティカード２００を挿入するために使用される。
【００２４】
また、走行ガイド１１２は、挿入口１１１から挿入されたセキュリティカード２００の先端を、光センサ１１３の位置に導く。
【００２５】
光センサ１１３は、セキュリティカード２００の先端が走行ガイド１１２の背面部まで達したか否かを検出し、検出結果信号を、認証制御部１３０のＣＰＵ(Central Processing Unit) １３１（後述）に送る。
【００２６】
撮像部１２０は、セキュリティカード２００に設けられた透光部２０２（後述）の光学的模様を認証情報として読み取るための機構であり、照明器１２１、第１の偏光板１２２、第２の偏光板１２３、カメラ１２４および画像入力部１２５を備えている。
【００２７】
ここで、照明器１２１は、セキュリティカード２００の透光部２０２へ照射する光を生成する機構であり、照明素子１２１ａ、反射板１２１ｂ、拡散板１２１ｃおよび照明制御基板１２１ｄを備えている。照明素子１２１ａは、照明制御基板１２１ｄに保持されており、この照明制御基板１２１ｄの制御にしたがって点灯する。反射板１２１ｂと、この反射板１２１ｂに保持された拡散板１２１ｃとは、照明素子１２１ａが発した光を反射・拡散して、透光部２０２に照射される光を均一化する。照明制御基板１２１ｄは、走行ガイド１１２に支持されており、照明素子１２１ａの点灯／消灯を制御する。
【００２８】
第１の偏光板１２２は、照明器１２１からの光を偏光する。偏光板１２２で偏光された光は、セキュリティカード２００の、透光部２０２を含む領域に照射される。
【００２９】
第２の偏光板１２３は、透光部２０２を透過した光を偏光する。偏光板１２３で偏光された光は、カメラ１２４に入射される。
【００３０】
カメラ１２４は、偏光板１２３で偏光された光を電気信号に変換する機構であり、レンズ１２４ａ、レンズ台座１２４ｂ、ＣＣＤ(Charge Coupled Device) 素子１２４ｃおよびカメラ制御基板１２４ｄを備えている。
【００３１】
レンズ１２４ａは、偏光板１２３で偏光された光を集光して、ＣＣＤ素子１２４ｃに導く。レンズ台座１２４ｂは、レンズ１２４ａを保持する。ＣＣＤ素子１２３ｃは、レンズ１２４ａを介して受光した光を、電気信号に変換して、画像入力部１２５に送る。カメラ制御基板１２４ｄは、ＣＣＤ素子１２３ｃの駆動制御を行う。
【００３２】
画像入力部１２５は、ＣＣＤ素子１２４ｃから入力された電気信号を用いて、上述の光学的模様を示す認証情報を生成し、認証制御部１３０のＣＰＵ１３１（後述）に送る。
【００３３】
認証制御部１３０は、画像入力部１２５から入力した認証情報を用いてセキュリティの認証を行うとともに、セキュリティ認証装置１００全体を制御する。この認証制御部１３０は、ＣＰＵ１３１と、メモリ１３２と、インタフェース部１３３とを備えている。
【００３４】
ＣＰＵ１３１は、光センサ１１３から信号を入力し、また、照明制御基板１２１ｄおよびカメラ制御基板１２４ｄを制御する。さらに、ＣＰＵ１３１は、画像入力部１２５から入力された認証情報とメモリ１３２から読み出された認証情報とを比較することにより、セキュリティカード２００の認証を行う。
【００３５】
メモリ１３２は、比較用の認証情報を記憶する。
【００３６】
インタフェース部１３３は、ＣＰＵ１３１から入力された認識結果を、外部装置（図示せず）に送る。外部装置とは、例えば、ＡＴＭの本体、電子ロック装置、パーソナルコンピュータ等である。
【００３７】
表示部１４０は、第１、第２のＬＥＤ(Light Emitting Diode) １４１，１４２と、ＬＥＤ制御基板１４３，１４４とを備えている。ＬＥＤ制御基板１４３，１４４は、ＣＰＵ１３１の制御にしたがって、第１、第２のＬＥＤ１４１，１４２の点灯／消灯／点滅を制御する。第１、第２のＬＥＤ１４１，１４２としては、異なる発光色のものを使用することが望ましい。
【００３８】
電源部１５０は、装置１００内の各部１２０，１３０，１４０等に、駆動電力を供給する。
【００３９】
図２は、この実施の形態でセキュリティ証明具として使用される、セキュリティカード２００の平面図である。
【００４０】
図２に示したように、このセキュリティカード２００は、基板２０１と、透光部２０２と、方向識別穴２０３とを備えている。
【００４１】
基板２０１としては、透光性（透明または半透明）の基板が使用される。この基板２０１は、例えば、アクリロニトリル・ブタジェン・スチレンやポリカーボネートなどのプラスチック材料で形成することができるが、他の材料で形成することも可能である。基板２０１には、製造時に光学特性ムラを発生させることにより、光学的模様が形成される。基板２０１に光学特性ムラを持たせるためには、例えば、適当な大きさの厚さムラやひずみ等が発生するように、この基板２０１を製造すればよい。適当な大きさの厚さムラやひずみ等を形成することにより、目視では認識し難いが、偏光板を用いた光学系（図１参照）を使用すれば容易に認識できるような、光学的模様を得ることができる。さらに、製造時に発生する光学特性ムラは製造ばらつきの影響が非常に大きいので、光学的模様が全く同じになるように製造することは実質的に不可能であり、偽造防止の上で有効である。
【００４２】
透光部２０２は、基板２０１のうち、認証情報として使用される光学的模様を有する部分である。すなわち、光学的模様は基板２０１の全面に形成されるが、このうち透光部２０２の部分だけが、認証情報として使用される。したがって、基板２０１のうち、透光部２０２以外の部分については、光学的模様を読み取る必要はないので、非透光性の膜やシールなどで覆ったり文字や模様などの印字を行ったりしてもよい。図２では基板２０１の中央に透光部２０２を配したが、透光部２０２の位置は限定されるものではなく、任意の位置に配置することができる。
【００４３】
方向識別穴２０３は、カード受入部１１０（図１参照）に挿入されるときに、セキュリティカード２００の表裏前後を間違わないようにするための、目印である。
【００４４】
次に、セキュリティ認証装置１００の動作原理について説明する。
【００４５】
最初に、セキュリティカード２００の認証情報（すなわち透光部２０２の光学的模様）をセキュリティ認証装置１００に登録する処理について、図３、図４のフローチャートを用いて説明する。
【００４６】
まず、ＣＰＵ１３１は、光センサ１１３のオン／オフを所定周期でチェックする（Ｓ３０１）。セキュリティカード２００がカード受入部１１０に挿入されて光センサ１１３がオンすると、ＣＰＵ１３１は、撮像部１２０の電源をオンする（Ｓ３０２）。続いて、ＣＰＵ１３１は、照明制御基板１２１ｄを制御して照明素子１２１ａを点灯させるとともに、ＬＥＤ制御基板１４３を制御して第１のＬＥＤ１４１を点灯させる（Ｓ３０３）。第１のＬＥＤ１４１の点灯により、使用者は、セキュリティカード２００が正しく挿入されたことを知ることができる。したがって、セキュリティカード２００をカード受入部１１０に挿入しても第１のＬＥＤ１４１が点灯しない場合には、使用者は、セキュリティカード２００を、一旦抜き取ってから再挿入すればよい。
【００４７】
照明素子１２１ａの光は、反射板１２１ｂおよび拡散板１２１ｃで均一化され、第１の偏光板１２２で偏光される。すなわち、第１の偏光板１２２は、偏光器の偏光子として使用される。そして、この偏光は、セキュリティカード２００の透光部２０２を透過した後、第２の偏光板１２３に達する。ここで、第２の偏光板１２３は、偏光器の検光子として使用される。したがって、第２の偏光板１２３の透過光には、透光部２０２の光学特性ムラに応じた光強度ムラが発生する。この光強度ムラが、透光部２０２の光学的模様を形成する。なお、偏光器を用いて検査対象物の光学特性ムラを観察する技術は公知であるので、原理的な説明は省略する。この光学的模様は、レンズ１２４ａを介して、ＣＣＤ素子１２４ｃに投影される。ＣＰＵ１３１は、カメラ制御基板１２４ｄを制御することにより、この光学的模様をＣＣＤ素子１２４ｃに撮像させる（Ｓ３０４）。この撮像によって得られた画像信号は、ＣＣＤ素子１２４ｃから、画像入力部１２５に送られる。
【００４８】
その後、ＣＰＵ１３１は、照明制御基板１２１ｄを制御して、照明素子１２１ａを消灯させる（Ｓ３０５）。
【００４９】
次に、ＣＰＵ１３１は、画像入力部１２５に、ＣＣＤ素子１２４ｃから入力された画像信号を処理させる（Ｓ３０６）。この処理により、上述の光学的模様から、認証情報としての画像情報が生成される。ＣＰＵ１３１は、この認証情報を、画像入力部１２５から入力する（Ｓ３０７）。そして、ＣＰＵ１３１は、この認証情報を、メモリ１３２に格納する（Ｓ３０８）。認証情報がメモリ１３２に格納されることにより、この認証情報がセキュリティ認証装置１００に登録されたことになる。
【００５０】
続いて、ＣＰＵ１３１は、ＬＥＤ制御基板１４３を制御して、第１のＬＥＤ１４１を消灯させる（Ｓ４０１）。これにより、使用者は、認証情報の登録作業が終了したことを知ることができる。
【００５１】
ＣＰＵ１３１は、監視時間Ｔに「０」を代入した後（Ｓ４０２）、光センサ１１３のオン／オフのチェック、すなわちセキュリティカード２００が抜き取られたか否かのチェックを開始する（Ｓ４０３）。そして、光センサ１１３がオン（セキュリティカード２００が挿入されたままの状態）の場合は、監視時間Ｔと監視時間リミットｔ0 とを比較する（Ｓ４０４）。そして、Ｔ≦ｔ0 であれば、ＣＰＵ１３１は、ＬＥＤ制御基板１４３，１４４を制御して第１、第２のＬＥＤ１４１，１４２を点滅させた後（Ｓ４０５）、ステップＳ４０３以降を再度実行する。第１、第２のＬＥＤ１４１，１４２を点滅させることにより、使用者は、セキュリティカード２００の抜き取りが催促されていることを認識できる。ステップＳ４０３で光センサ１１３がオフ（セキュリティカード２００が抜き取られた状態）であった場合、ＣＰＵ１３１は、ＬＥＤ制御基板１４３，１４４を制御して第１、第２のＬＥＤ１４１，１４２を消灯させた後（Ｓ４０６）、撮像部１２０の電源をオフして（Ｓ４０７）、登録処理を終了する。同様に、ステップＳ４０４でＴ＞ｔ0 であった場合も、ＣＰＵ１３１は、ＬＥＤ制御基板１４３，１４４を制御して第１、第２のＬＥＤ１４１，１４２を消灯させた後（Ｓ４０６）、撮像部１２０の電源をオフして（Ｓ４０７）、登録処理を終了する。
【００５２】
次に、セキュリティカード２００の認証を行う処理について、図５、図６のフローチャートを用いて説明する。
【００５３】
登録処理で説明したように、ＣＰＵ１３１は、光センサ１１３のオン／オフを所定周期でチェックしている（Ｓ５０１）。ここで、セキュリティカード２００がカード受入部１１０に挿入されて光センサ１１３がオンすると、ＣＰＵ１３１は、まず、撮像部１２０の電源をオンする（Ｓ５０２）。続いて、ＣＰＵ１３１は、登録処理の場合と同様、照明制御基板１２１ｄを制御して照明素子１２１ａを点灯させるとともに、ＬＥＤ制御基板１４３を制御して第１のＬＥＤ１４１を点灯させる（Ｓ５０３）。
【００５４】
照明素子１２１ａの光は、登録処理の場合と同様、反射板１２１ｂおよび拡散板１２１ｃで均一化された後、第１の偏光板１２２で偏光され、透光部２０２、第２の偏光板１２３およびレンズ１２４ａを透過して、ＣＣＤ素子１２４ｃに投影される。ＣＰＵ１３１は、カメラ制御基板１２４ｄを制御することにより、この光学的模様をＣＣＤ素子１２４ｃに撮像させる（Ｓ５０４）。そして、この撮像によって得られた画像信号が、ＣＣＤ素子１２４ｃから、画像入力部１２５に送られる。その後、ＣＰＵ１３１は、照明制御基板１２１ｄを制御して、照明素子１２１ａを消灯させる（Ｓ５０５）。
【００５５】
次に、ＣＰＵ１３１は、画像入力部１２５に、ＣＣＤ素子１２４ｃから入力された画像信号を処理させる（Ｓ５０６）。この処理により、上述の光学的模様から、認証情報が生成される。ＣＰＵ１３１は、この認証情報を、画像入力部１２５から入力する（Ｓ５０７）。続いて、ＣＰＵ１３１は、ＬＥＤ制御基板１４３を制御して、第１のＬＥＤ１４１の点滅を開始させる（Ｓ５０８）。これにより、使用者は、セキュリティカード２００の抜き取りが催促されていることを認識できる。
【００５６】
次に、ＣＰＵ１３１は、メモリ１３２に格納された認証情報（上述の登録処理で格納された認証情報）を順次読み出して、これらの認証情報を、画像入力部１２５から読み出された認証情報と照合する（Ｓ５０９）。そして、ＣＰＵ１３１は、セキュリティカード２００から読み出した認証情報と一致する認証情報がメモリ１３２内に格納されているか否かを判定する（Ｓ６０１）。一致する認証情報が格納されている場合、ＣＰＵ１３１は、ＬＥＤ制御基板１４３を制御して、第１のＬＥＤ１４１を点灯させる（Ｓ６０２）。これにより、利用者は、セキュリティカード２００の正当性が認証されたことを、認識できる。一方、Ｓ６０１において、一致する認証情報が格納されていないと判断された場合、ＣＰＵ１３１は、ＬＥＤ制御基板１４３を制御して第１のＬＥＤ１４１を消灯させるとともに（Ｓ６０３）、ＬＥＤ制御基板１４４を制御して第２のＬＥＤ１４２を点灯させる（Ｓ６０４）。これにより、利用者は、セキュリティカード２００が不当であると判定されたことを、認識できる。
【００５７】
続いて、ＣＰＵ１３１は、監視時間Ｔに「０」を代入して（Ｓ６０５）、光センサ１１３のオン／オフのチェックする（Ｓ６０６）。そして、光センサ１１３がオン（セキュリティカード２００が挿入されたままの状態）の場合は、監視時間Ｔと監視時間リミットｔ0 とを比較する（Ｓ６０７）。そして、Ｔ≦ｔ0 であれば、ＣＰＵ１３１は、ＬＥＤ制御基板１４３，１４４を制御して第１、第２のＬＥＤ１４１，１４２を点滅させることによって、利用者にカードの抜き取りを催促し（Ｓ６０８）、さらに、ステップＳ６０６以降を再度実行する。一方、ステップＳ６０６で光センサ１１３がオフの場合およびステップＳ６０７でＴ＞ｔ0 であった場合、ＣＰＵ１３１は、ＬＥＤ制御基板１４３，１４４を制御して第１、第２のＬＥＤ１４１，１４２を消灯させた後（Ｓ６０９）、撮像部１２０の電源をオフして（Ｓ６１０）、認証処理を終了する。
【００５８】
次に、セキュリティカード２００の製造方法の一例について説明する。図７は、セキュリティカード２００の製造装置の概念図である。
【００５９】
図７に示したように、この製造装置７００は、カード成形型７１０と、材料投入部７２１，７２２，７２３，７２４と、材料投入口７３１，７３２，７３３，７３４と、材料排出口７４１，７４２とを備えている。
【００６０】
この装置７００では、４個の材料投入部７２１，７２２，７２３，７２４からカード成形型７１０に、材料投入口７３１，７３２，７３３，７３４を介して、カード成形材料が投入される。そして、余分なカード成形材料は、材料排出口７４１，７４２から外部に排出される。これにより、カード成形型７１０で、セキュリティカード２００を成形化することができる。また、この装置７００では、４個の材料投入口７３１，７３２，７３３，７３４における投入速度や投入圧力を、それぞれ個別に制御することができる。同様に、２個の材料排出口７４１，７４２における排出速度も、個別に制御することができる。
【００６１】
このような構造の装置では、カード成形材料の投入速度、投入圧力または排出速度の一種類以上を制御することにより、カード成形型７１０の中央部付近でのカード成形材料の流れを変化させることができる。そして、カード成形材料の流れを制御することにより、セキュリティカード２００に、厚さムラやひずみ等による光学特性ムラを、適当な大きさで発生させることができる。上述したように、適当な大きさの厚さムラやひずみ等を形成することにより、目視では認識し難いが、偏光板を用いた光学系（図１参照）を使用すれば容易に認識できるような、光学的模様を得ることができる。さらに、製造時に発生する光学特性ムラは製造ばらつきの影響が非常に大きいので、光学的模様が全く同じになるセキュリティカード２００を製造することは実質的に不可能であり、偽造防止の上で有効である。
【００６２】
以上説明したように、この実施の形態によれば、セキュリティカード２００に設けられた透光部２０２の光学的模様を用いて、セキュリティの認証を行うことができる。上述したように、この光学的模様を正確に再現することは実質的に不可能なので、人間の指紋等の身体的特徴と同様、全く同一のものは存在しないという前提でセキュリティの認証を行うことができる。その一方で、重大な犯罪の誘発等の、身体的特徴をセキュリティの認証に使用する場合の欠点（上述）を回避することが可能である。
【００６３】
第２の実施の形態
次に、この発明の第２の実施の形態について、説明する。
【００６４】
上述したように、第１の実施の形態に係るセキュリティカードでは、全く同一の光学的模様のものを製造することは、できない。しかし、不正使用しようとする者は、他人のセキュリティカードを持ち出して、この光学的模様を偏光器などで読み取り、これと同一の模様を透光板の表面に印字する等して、セキュリティカードを偽造する場合が考えられる。そして、このような偽造セキュリティカードが非常に精巧に作製された場合には、セキュリティ認証装置が正当なセキュリティカードであると誤認識するおそれがある。この実施の形態は、このようして作製された偽造セキュリティカードを正当でないと認識できるセキュリティ認証装置の例である。
【００６５】
図８は、この実施の形態に係るセキュリティ認証装置の構成を概略的に示す概念図である。図８において、図１と同じ符号を付した構成要素は、それぞれ、図１の場合と同じものを示している。
【００６６】
図８に示したように、このセキュリティ認証装置８００は、円筒型ギア８０１、モータギア８０２、モータ８０３、エンコーダ８０４、原点穴８０５、光センサ８０６、エンコーダ制御部８０７およびモータ駆動部８０８を備えている。
【００６７】
円筒型ギア８０１は、第１の偏光板１２２を回転させる。この円筒型ギア８０１は、モータギア８０２によって、駆動される。
【００６８】
モータギア８０２は、モータ８０３の回転軸に固定されており、この回転軸の回転を、円筒形ギア８０１に伝達する。
【００６９】
モータ８０３は、モータ駆動部８０８の制御にしたがって、回転軸を回転させる。
【００７０】
エンコーダ８０４は、モータ８０３の回転軸の回転角度を検出するために使用される。
【００７１】
原点穴８０５は、円筒形ギア８０１に設けられている。この原点穴８０５からは、照明素子１２１ａの光が漏れる。この原点穴８０５は、円筒型ギア８０１の、回転に対する原点を画定するために使用される。
【００７２】
光センサ８０６と原点穴８０５との間のフレームには、貫通穴が設けられている。光センサ８０６と原点穴８０５とが対向位置にあるときに、原点穴から漏れた光が、この貫通穴を通過して光センサ８０６に検出される。後述するように、この光センサ８０６が光を検出したときの位置が、円筒形ギア８０１の原点である。
【００７３】
エンコーダ制御部８０７は、エンコーダ８０７の検出結果に基づいてモータ８０３の回転軸の回転角度を判断し、この回転角度をＣＰＵ１３１に送る。
【００７４】
モータ駆動部８０８は、ＣＰＵ１３１の制御にしたがって、モータ８０３の駆動制御を行う。
【００７５】
なお、この実施の形態に係るセキュリティカードとしては、第１の実施の形態に係るセキュリティカード２００（図２参照）を、そのまま使用することができる。
【００７６】
次に、セキュリティ認証装置８００の動作について説明する。
【００７７】
最初に、セキュリティカード２００の認証情報（すなわち透光部２０２の光学的模様）をセキュリティ認証装置８００に登録する処理について、図９〜図１１のフローチャートを用いて説明する。
【００７８】
ＣＰＵ１３１は、第１の実施の形態の場合と同様、光センサ１１３のオン／オフを所定周期でチェックしている（Ｓ９０１）。セキュリティカード２００がカード受入部１１０に挿入されて光センサ１１３がオンすると、ＣＰＵ１３１は、撮像部１２０の電源をオンする（Ｓ９０２）。続いて、ＣＰＵ１３１は、ＬＥＤ制御基板１４３を制御して、第１のＬＥＤ１４１を点灯させる（Ｓ９０３）。第１のＬＥＤ１４１の点灯により、使用者は、セキュリティカード２００が正しく挿入されたことを知ることができる。したがって、セキュリティカード２００をカード受入部１１０に挿入しても第１のＬＥＤ１４１が点灯しない場合には、使用者は、セキュリティカード２００を、一旦抜き取ってから再挿入すればよい。その後、ＣＰＵ１３１は、照明制御基板１２１ｄを制御して、照明素子１２１ａを点灯させる（Ｓ９０４）。
【００７９】
続いて、ＣＰＵ１３１は、第１の偏光板１２２の位置を初期化する（Ｓ９０５）。すなわち、ＣＰＵ１３１は、モータ８０３を用いて第１の偏光板１２２を回転させ、原点穴８０５から漏れた光を光センサ８０６が検出すると、このモータ８０３を停止させる。
【００８０】
次に、ＣＰＵ１３１は、登録番号を示す変数Ｐに、初期値「１」を代入する（Ｓ９０６）。さらに、ＣＰＵ１３１は、登録数の設定値Ｍに、所定の自然数を代入する（Ｓ９０７）。Ｍに代入する数値は、例えば、予め装置内に登録しておけばよい。
【００８１】
次に、ＣＰＵ１３１は、第１の実施の形態の場合と同様にしてカメラ制御基板１２４ｄを制御することにより、ＣＣＤ素子１２４ｃに光学的模様を撮像させる（Ｓ１００１）。さらに、ＣＰＵ１３１は、画像入力部１２５に、ＣＣＤ素子１２４ｃから入力された画像信号を処理させる（Ｓ１００２）。この処理により、上述の光学的模様から、認証情報としての画像情報が生成される。ＣＰＵ１３１は、この認証情報を、画像入力部１２５から入力する（Ｓ１００３）。そして、ＣＰＵ１３１は、この認証情報を、登録番号Ｐとともに、メモリ１３２に格納する（Ｓ１００４）。認証情報および登録番号Ｐがメモリ１３２に格納されることにより、この認証情報がセキュリティ認証装置８００に登録されたことになる。
【００８２】
続いて、ＣＰＵ１３１は、登録番号Ｐを、設定値Ｍと比較する（Ｓ１００５）。そして、Ｐ＜Ｍの場合（すなわち、登録の実行回数がＭ回に達していない場合）、ＣＰＵ１３１は、第１の偏光板１２２を、所定角度だけ回転させる（Ｓ１００６）。この所定角度は、例えば、３６０゜／Ｍとすればよい。ＣＰＵ１３１が、モータ駆動部８０８を制御してモータ８０３の回転軸を回転させることにより、円筒形ギア８０１を回転させることができ、したがって、第１の偏光板１２２が回転する。このときの回転角度は、エンコーダ８０４が読み取った目盛をエンコーダ制御部８０７で判定することによって、検出される。第１の偏光板１２２が所定角度だけ回転すると、ＣＰＵ１３１は回転を停止させ、実行回数Ｐを「１」だけ増数した後（Ｓ１００７）、ステップＳ１００１以降を再度実行する。ステップＳ１００１からステップＳ１００７までの処理は、ステップＳ１００５において、Ｐ＝Ｍになるまで（すなわち、登録実行回数がＭ回に達するまで）、繰り返される。これにより、第１の偏光板１２２を所定角度ずつ回転させながら、Ｍ種類の光学的模様を撮像し、認証情報として登録することができる。光学特性ムラに基づく光学的模様は、２枚の偏光板１２２，１２３の重ね合わせ角度に応じて、輝度、柄、色彩が変換する。したがって、これらのＭ種類の光学的模様は、互いに相違する。すなわち、この実施の形態では、１枚のセキュリティカード２００からＭ種類の認証情報を読み出して、登録する。
【００８３】
ステップＳ１００５においてＰ＝Ｍである場合、ＣＰＵ１３１は、上述のステップＳ９０５と同様にして、第１の偏光板１２２の位置を初期化する（Ｓ１００８）。第１の偏光板１２２の位置が初期化されると、続いてＣＰＵ１３１は、照明素子１２１ａおよび第１のＬＥＤ１４１を消灯させる（Ｓ１００９）。第１のＬＥＤ１４１の消灯により、使用者は、認証情報の登録処理が終了したことを知ることができる。
【００８４】
次に、ＣＰＵ１３１は、監視時間Ｔに「０」を代入した後（Ｓ１１０１）、光センサ１１３のオン／オフのチェック、すなわちセキュリティカード２００が抜き取られたか否かのチェックを開始する（Ｓ１１０２）。そして、光センサ１１３がオン（セキュリティカード２００が挿入されたままの状態）の場合は、監視時間Ｔと監視時間リミットｔ0 とを比較する（Ｓ１１０３）。ここで、Ｔ≦ｔ0 であれば、ＣＰＵ１３１は、ＬＥＤ制御基板１４３，１４４を制御して、第１、第２のＬＥＤ１４１，１４２の点滅を開始させ（Ｓ１１０４）、その後、ステップＳ１１０２以降を再度実行する。第１、第２のＬＥＤ１４１，１４２を点滅させることにより、使用者は、セキュリティカード２００の抜き取りが催促されていることを認識できる。ステップＳ１１０２で光センサ１１３がオフ（セキュリティカード２００が抜き取られた状態）であった場合、ＣＰＵ１３１は、ＬＥＤ制御基板１４３，１４４を制御して第１、第２のＬＥＤ１４１，１４２を消灯させた後（Ｓ１１０５）、撮像部１２０の電源をオフして（Ｓ１１０６）、登録処理を終了する。同様に、ステップＳ１１０３でＴ＞ｔ0 であった場合も、ＣＰＵ１３１は、ＬＥＤ制御基板１４３，１４４を制御して第１、第２のＬＥＤ１４１，１４２を消灯させた後（Ｓ１１０５）、撮像部１２０の電源をオフして（Ｓ１１０６）、登録処理を終了する。
【００８５】
次に、セキュリティカード２００の認証を行う処理について、図１２〜図１５のフローチャートを用いて説明する。
【００８６】
登録処理で説明したように、ＣＰＵ１３１は、光センサ１１３のオン／オフを所定周期でチェックしている（Ｓ１２０１）。ここで、セキュリティカード２００がカード受入部１１０に挿入されて光センサ１１３がオンすると、ＣＰＵ１３１は、まず、撮像部１２０の電源をオンする（Ｓ１２０２）。続いて、ＣＰＵ１３１は、登録処理の場合と同様、照明素子１２１ａおよび第１のＬＥＤ１４１を点灯させる（Ｓ１２０３，Ｓ１２０４）。
【００８７】
続いて、ＣＰＵ１３１は、登録処理の場合と同様にして、第１の偏光板１２２の位置を初期化する（Ｓ１２０５）。
【００８８】
次に、ＣＰＵ１３１は、読み出しの実行回数を示す変数Ｐに、初期値「１」を代入する（Ｓ１２０６）。さらに、ＣＰＵ１３１は、設定値Ｍに、所定の自然数を代入する（Ｓ１２０７）。この設定値Ｍには、上述の登録処理で使用した数値と同じ数値が代入される。
【００８９】
次に、ＣＰＵ１３１は、第１の実施の形態の場合と同様にしてカメラ制御基板１２４ｄを制御することにより、ＣＣＤ素子１２４ｃに光学的模様を撮像させる（Ｓ１３０１）。さらに、ＣＰＵ１３１は、画像入力部１２５に、ＣＣＤ素子１２４ｃから入力された画像信号を処理させる（Ｓ１３０２）。この処理により、上述の光学的模様から、認証情報としての画像情報が生成される。
【００９０】
ＣＰＵ１３１は、この認証情報を、画像入力部１２５から入力して（Ｓ１３０３）、メモリ１３２に一時的に格納する（Ｓ１３０４）。続いて、ＣＰＵ１３１は、登録番号Ｐを、設定値Ｍと比較する（Ｓ１３０５）。そして、Ｐ＜Ｍの場合（すなわち、読み出し実行回数がＭ回に達していない場合）、ＣＰＵ１３１は、登録処理の場合と同様にして、第１の偏光板１２２を、所定角度だけ回転させる（Ｓ１３０６）。このときの回転角度は、登録処理のときと同一である。第１の偏光板１２２が所定角度だけ回転すると、ＣＰＵ１３１は回転を停止させ、実行回数Ｐを「１」だけ増数した後（Ｓ１３０７）、ステップＳ１３０１以降を再度実行する。ステップＳ１３０１からステップＳ１３０７までの処理は、ステップＳ１３０５において、Ｐ＝Ｍになるまで（すなわち、読み出し実行回数がＭ回に達するまで）、繰り返される。これにより、第１の偏光板１２２を所定角度ずつ回転させながら、Ｍ種類の光学的模様を、認証情報として読み出すことができる。
【００９１】
ステップＳ１３０５においてＰ＝Ｍである場合、ＣＰＵ１３１は、再び第１の偏光板１２２の位置を初期化する（Ｓ１３０８）。第１の偏光板１２２の位置が初期化されると、続いてＣＰＵ１３１は、照明素子１２１ａを消灯させるとともに（Ｓ１３０９）、第１のＬＥＤ１４１を点滅させる（Ｓ１３１０）。第１のＬＥＤ１４１の点滅により、使用者は、認証情報の登録作業が終了したことを知ることができる。
【００９２】
続いて、ＣＰＵ１３１は、照合番号を示す変数Ｑに、初期値「１」を代入する（Ｓ１４０１）。そして、上述の登録処理で登録されたＱ番目の認証情報（上記Ｓ１００４参照）と、この認証処理で読み取られたＱ番目の認証情報（上記Ｓ１３０４参照）とメモリ１３２から読み出して、照合する（Ｓ１４０２）。そして、ＣＰＵ１３１は、これらの認証情報が一致するか否かを判定する（Ｓ１４０３）。認証情報が一致する場合、ＣＰＵ１３１は、照合番号Ｑを上述の設定値Ｍと比較する（Ｓ１４０４）。そして、Ｑ≠Ｍの場合（すなわち、照合回数がＭ回に達していない場合）、ＣＰＵ１３１は、照合番号Ｑを「１」だけ増数して（Ｓ１４０５）、ステップＳ１４０２以降を再度実行する。ステップＳ１４０２からステップＳ１４０５までの処理は、ステップＳ１４０３において認証情報が一致しないと判断されるか、ステップＳ１４０４においてＱ＝Ｍになるまで、繰り返される。
【００９３】
ステップＳ１４０４においてＱ＝Ｍであると判断された場合、ＣＰＵ１３１は、第１のＬＥＤ１４１を点灯させる（Ｓ１４０６）。これにより、利用者は、セキュリティカード２００の正当性が認証されたことを、認識できる。一方、Ｓ１４０３において認証情報が一致しない場合、ＣＰＵ１３１は、第１のＬＥＤ１４１を消灯させるとともに（Ｓ１４０７）、第２のＬＥＤ１４２を点灯させる（Ｓ１４０８）。これにより、利用者は、セキュリティカード２００が不当であると判定されたことを、認識できる。
【００９４】
上述のように、この実施の形態の係るセキュリティカード２００を使用する場合、Ｍ種類の光学的模様は互いに相違する。これに対して、透光板の表面に模様を印字することなどによって偽造されたセキュリティカードの場合、第１の偏光板１２２を回転させても、光学的模様は変化しない。したがって、セキュリティ認証装置８００は、Ｍ種類の認証情報をすべて比較することにより、セキュリティカード２００の真偽を高精度に判別することができる。
【００９５】
続いて、ＣＰＵ１３１は、監視時間Ｔに「０」を代入した後（Ｓ１５０１）、光センサ１１３のオン／オフのチェック、すなわちセキュリティカード２００が抜き取られたか否かのチェックを開始する（Ｓ１５０２）。そして、光センサ１１３がオン（セキュリティカード２００が挿入されたままの状態）の場合は、監視時間Ｔと監視時間リミットｔ0 とを比較する（Ｓ１５０３）。そして、Ｔ≦ｔ0 であれば、ＣＰＵ１３１は、ＬＥＤ制御基板１４３，１４４を制御して第１、第２のＬＥＤ１４１，１４２の点滅を開始させた後（Ｓ１５０４）、ステップＳ１５０２以降を再度実行する。第１、第２のＬＥＤ１４１，１４２を点滅させることにより、使用者は、セキュリティカード２００の抜き取りが催促されていることを認識できる。ステップＳ１５０２で光センサ１１３がオフ（セキュリティカード２００が抜き取られた状態）であった場合、ＣＰＵ１３１は、第１、第２のＬＥＤ１４１，１４２を消灯させた後（Ｓ１５０５）、メモリ１３２内に一時的に格納された認証情報（上記ステップＳ１３０４参照）を消去し（Ｓ１５０６）、さらに撮像部１２０の電源をオフして（Ｓ１５０７）、登録処理を終了する。同様に、ステップＳ１５０３でＴ＞ｔ0 であった場合も、ＣＰＵ１３１は、第１、第２のＬＥＤ１４１，１４２の消灯（Ｓ１５０５）、メモリ１３２内に一時的に格納された認証情報の消去（Ｓ１５０６）および撮像部１２０の電源断（Ｓ１５０７）を行って、登録処理を終了する。
【００９６】
以上説明したように、この実施の形態によれば、第１の実施の形態と同様、セキュリティカード２００に設けられた透光部２０２の光学的模様を用いて、セキュリティの認証を行うことができる。
【００９７】
さらに、この実施の形態では、第１の偏光板１２２を回転させることによって得られる認証情報を使用するので、第１の実施の形態の場合よりも、さらに、認証の信頼性を向上させることができる。
【００９８】
なお、この実施の形態では、第１の偏光板１２２を回転させる場合を説明したが、第２の偏光板１２３を回転させることによっても、同様の効果を得ることができる。
【００９９】
また、この実施の形態では、第１の偏光板１２２を回転させることによって得られた複数種類の認証情報を使用することとしたが、光学的模様の画像データを登録するときの回転角度を固定しないことにすれば、１種類の認証情報のみを使用することとしても、第１の実施の形態の場合よりも信頼性の高い認証を行うことができる。例えば、登録処理時および認証処理時の回転角度を装置毎に違う値に設定し且つ利用者等に対して秘匿すれば、不正使用しようとするセキュリティ認証装置で設定されている回転角度を知得しない限りセキュリティカードを偽造できない。また、登録処理時にアットランダムに回転角度が決定されることにして、この回転角度を認証情報とともに登録することによっても、同様の効果を得ることができる。
【０１００】
第３の実施の形態
次に、この発明の第３の実施の形態について、説明する。
【０１０１】
この実施の形態は、撮像のための機構の一部（光源側の機構）を、セキュリティ証明具側に設けることにより、セキュリティ認証装置の小型化を図った例である。
【０１０２】
図１６は、この実施の形態に係るセキュリティ認証装置の構成を概略的に示す概念図である。
【０１０３】
図１６に示したように、このセキュリティ認証装置１６００の、パネル１６０１の内側には、キー受入部１６１０、撮像部１６２０、認証制御部１６３０、表示部１６４０および電源部１６５０が設けられている。
【０１０４】
キー受入部１６１０は、セキュリティ証明具としてのセキュリティキー１７００（図１７参照）を受け入れるための機構であり、挿入キャップ１６１１と、光センサ１６１２と、センサ制御部１６１３とを備えている。
【０１０５】
挿入キャップ１６１１は、キー溝１６１１ａを備えている。このキー溝１６１１ａの内側に、セキュリティキー１７００が挿入される。
【０１０６】
光センサ１６１２は、このセキュリティ認証装置１６００の近くに人物が居るときにオンする。
【０１０７】
センサ制御部１６１３は、光センサ１６１２のオン／オフをチェックすることにより、セキュリティ認証装置１６００に人物が近寄ったことを検知する。
【０１０８】
撮像部１６２０は、保護ガラス１６２１、第２の偏光板１６２２、カメラ１６２３および画像入力部１６２４を備えている。なお、後述するように、第１の偏光板や光源部等は、セキュリティキー１７００内に設けられる。
【０１０９】
保護ガラス１６２１は、第２の偏光板１６２２を、外部の塵や衝撃から保護するためのガラスである。
【０１１０】
第２の偏光板１６２２は、保護ガラス１６２１を介してセキュリティキー１７００から受光した光を偏光する。この偏光板１６２２で偏光された光は、カメラ１６２３に入射される。
【０１１１】
カメラ１６２３は、第２の偏光板１６２１で偏光された光を電気信号に変換する機構であり、レンズ１６２３ａ、レンズ台座１６２３ｂ、ＣＣＤ素子１６２３ｃおよびカメラ制御基板１６２３ｄを備えている。レンズ１６２３ａは、第２の偏光板１６２２で偏光された光を集光して、ＣＣＤ素子１６２３ｃに導く。レンズ台座１６２３ｂは、レンズ１６２３ａを保持する。ＣＣＤ素子１６２３ｃは、レンズ１６２３ａを介して受光した光を、電気信号に変換して、画像入力部１６２４に送る。カメラ制御基板１６２３ｄは、ＣＣＤ素子１６２３ｃの駆動制御を行う。
【０１１２】
画像入力部１６２４は、ＣＣＤ素子１６２３ｃから入力された電気信号を用いて、認証情報を生成し、認証制御部１６３０のＣＰＵ１６３１（後述）に送る。
【０１１３】
認証制御部１６３０は、画像入力部１６２４から入力した認証情報を用いてセキュリティの認証を行うとともに、セキュリティ認証装置１６００全体を制御する。この認証制御部１６３０は、ＣＰＵ１６３１と、メモリ１６３２と、インタフェース部１６３３とを備えている。
【０１１４】
ＣＰＵ１６３１は、センサ制御部１６１３から信号を入力し、また、カメラ制御基板１６２３ｄを制御する。さらに、ＣＰＵ１６３１は、画像入力部１６２４から入力された認証情報とメモリ１６３２から読み出された認証情報とを比較することにより、セキュリティキー１７００の認証を行う。
【０１１５】
メモリ１６３２は、予め登録された認証情報を記憶する。
【０１１６】
インタフェース部１６３３は、ＣＰＵ１６３１から入力された認識結果を、外部装置（図示せず）に送る。
【０１１７】
表示部１６４０は、第１、第２のＬＥＤ１６４１，１６４２と、ＬＥＤ制御基板１６４３，１６４４とを備えている。ＬＥＤ制御基板１６４３，１６４４は、ＣＰＵ１６３１の制御にしたがって、第１、第２のＬＥＤ１６４１，１６４２を点灯させる。第１、第２のＬＥＤ１６４１，１６４２としては、異なる発光色のものを使用することが望ましい。
【０１１８】
電源部１６５０は、装置１６００内の各部１６１０，１６２０，１６３０，１６４０等に、駆動電力を供給する。
【０１１９】
図１７は、セキュリティ証明具としてのセキュリティキー１７００の構造を示す図であり、（Ａ）は正面図、（Ｂ）は（Ａ）に示されたスイッチ部の部分拡大図、（Ｃ）はスイッチ部の底面図である。
【０１２０】
図１７（Ａ）に示したように、このセキュリティキー１７００の筐体１７０１は、フレーム１７０１ａとキャップ１７０１ｂとを有している。フレーム１７０１ａとキャップ１７０１ｂとは、挿脱自在に結合される。筐体１７０１内には、第１の偏光板１７０２、透光板１７０３、保護ガラス１７０４、照明器１７１０および電源部１７２０が設けられている。
【０１２１】
第１の偏光板１７０２は、照明器１７１０の光を偏光する。偏光板１７０２で偏光された光は、透光部１７０３に照射される。
【０１２２】
透光板１７０３としては、透光性（透明または半透明）の円盤形基板が使用される。この基板１７０３は、例えば、アクリロニトリル・ブタジェン・スチレンやポリカーボネートなどのプラスチック材料で形成ことができるが、他の材料で形成することも可能である。透光板１７０３には、第１の実施の形態のセキュリティカード２００と同様、製造時に適当な大きさの光学特性ムラを発生させることにより、光学的模様が形成される。
【０１２３】
保護ガラス１７０４は、第１の偏光板１７０２を、外部の塵や衝撃から保護するためのガラスである。
【０１２４】
照明器１７１０は、透光板１７０３へ照射する光を生成する機構であり、照明素子１７１０ａ、反射板１７１０ｂ、拡散板１７１０ｃおよび照明基板１７１０ｄを備えている。照明素子１７１０ａは、照明基板１７１０ｄに保持されており、この照明基板１７１０ｄから供給された電力で点灯する。反射板１７１０ｂと、この反射板１７１０ｂに保持された拡散板１７１０ｃとは、キャップ１７０１ｂに固定されており、照明素子１７１０ａが発した光を反射・拡散して、透光板１７０３に照射される光を均一化する。照明基板１７１０ｄは、フレーム１７０１ａに固定されており、電源部１７２０から供給された電力を、照明素子１７１０ａに伝える。
【０１２５】
電源部１７２０は、照明器１７１０に電力を供給するための機構であり、スイッチ部１７１１、スプリング１７１５および絶縁ケース１７１６を備えている。また、フレーム１７０１ａ内には、電源としての電池１７１７が収容される。
【０１２６】
スイッチ部１７１１は、照明素子１７１０ａを点灯／消灯するためのスイッチであり、図１７（Ｂ）、（Ｃ）に示したように、ボタン１７１２、導電片１７１３およびスイッチ基板１７１４を備えている。ボタン１７１２は、スイッチ部１７１１のオン／オフを切り換えるために使用される。このボタン１７１２は、適当な硬さの非導電性弾性部材で形成されており、押下部１７１２ａと足部１７１２ｂとを有している。押下部１７１２ａは、照明素子１７１０ａを点灯させたいときに、利用者が押し下げる部分である。足部１７１２ｂは、このボタン１７１２をスイッチ基板１７１４上に保持する。導電片１７１３は、スイッチ基板１７１４よりも小さく作られ、押下部１７１２ａの下面に接着されている。導電片１７１３は、通常の状態ではスイッチ基板１７１４と非接触であるが、利用者が押下部１７１２ａを押し下げたときにスイッチ基板１７１４と接触する。スイッチ基板１７１４は、第１の導電パターン１７１４ａと第２の導電パターン１７１４ｂとを有している。第１の導電パターン１７１４ａは照明素子１７１０ａの一方の端子（図示せず）と導通しており、第２の導電パターン１７１４ｂはスプリング１７１５と導通している。第１の導電パターン１７１４ａと第２の導電パターン１７１４ｂとは、通常の状態では非導通であるが、押下部１７１２が押し下げられて導電片１７１３とスイッチ基板１７１４とが接触することにより、導通する。
【０１２７】
スプリング１７１５は、電池１７１７を押圧することにより、電池１７１７と照明基板１７１０ｄの端子（図示せず）とを導通させる。さらに、スプリング１７１５は、第２の導電パターン１７１４ｂと電池１７１７とを導通させる。
【０１２８】
絶縁ケース１７１６は、フレーム１７０１ａの内壁面を覆うように設けられており、照明基板１７１０とフレーム１７０１ａとの導通を防止するとともに、電池１７１７の位置ずれを抑える。
【０１２９】
次に、セキュリティ認証装置１６００およびセキュリティキー１７００の動作について説明する。
【０１３０】
最初に、セキュリティキー１７００の認証情報（すなわち透光板１７０２の光学的模様）をセキュリティ認証装置１６００に登録する処理について、図１８のフローチャートを用いて説明する。
【０１３１】
まず、ＣＰＵ１６３１は、光センサ１６１２のオン／オフをチェックすることにより、装置１６００の近くに人物が居るか否かを判別する（Ｓ１８０１）。利用者が装置１６００に近づいて光センサ１６１２がオンすると、ＣＰＵ１６３１は、撮像部１６２０の電源をオンする（Ｓ１８０２）。
【０１３２】
続いて、ＣＰＵ１６３１は、ＣＣＤ素子１６２３ｃの受光光量をチェックする（Ｓ１８０３）。利用者が、セキュリティキー１７００を挿入キャップ１６１１に嵌め込んでボタン１７１２を押した場合は、照明素子１７１０ａが点灯して、ＣＣＤ素子１６２３ｃの受光光量が所定値よりも大きくなる。したがって、この受光光量が所定値よりも小さい場合、ＣＰＵ１６３１は、セキュリティキー１７００の嵌合および照明素子１７１０ａの点灯がなされていないと判断して、再び光センサ１６１２のオン／オフをチェックする（Ｓ１８０４）。そして、光センサ１６１２がオンしている場合は、装置１６００の近くに人物が居ると判断されるので、ステップＳ１８０３に戻る。一方、ステップＳ１８０４で光センサ１６１２がオフしている場合は、装置１６００から人物が離れたと判断して撮像部１６２０の電源をオフし（Ｓ１８０５）、ステップＳ１８０１に戻る。
【０１３３】
ステップＳ１８０３で受光光量が所定値よりも大きいかった場合、ＣＰＵ１６３１は、ＬＥＤ制御基板１６４３を制御して、第１のＬＥＤ１６４１を点灯させる（Ｓ１８０６）。第１のＬＥＤ１６４１の点灯により、使用者は、セキュリティキー１７００と挿入キャップ１６１１とが正しく嵌合されたことを知ることができる。したがって、セキュリティキーを挿入キャップ１６１１に挿入してボタン１７２２を押しても第１のＬＥＤ１６４１が点灯しない場合には、使用者は、セキュリティキー１７００を、一旦抜き取ってから再挿入すればよい。
【０１３４】
利用者がボタン１７１２を押すことによって照明素子１７１０ａが点灯すると、この光は、反射板１７１０ｂおよび拡散板１７１０ｃで均一化された後、第１の偏光板１７０２で偏光され、透光板１７０３を透過した後、保護ガラス１７０４を介して、セキュリティ認証装置１６００に入射される。そして、この入射光は、保護ガラス１６２１を透過した後、第２の偏光板１６２２で偏光され、レンズ１６２３ａを介して、ＣＣＤ素子１６２３ｃに投影される。ＣＰＵ１６３１は、カメラ制御基板１６２３ｄを制御することにより、この光学的模様をＣＣＤ素子１６２３ｃに撮像させる（Ｓ１８０７）。この撮像によって得られた画像信号は、ＣＣＤ素子１６２３ｃから、画像入力部１６２４に送られる。
【０１３５】
続いて、ＣＰＵ１６３１は、画像入力部１６２４に、ＣＣＤ素子１６２３ｃから入力された画像信号を処理させる（Ｓ１８０８）。この処理により、認証情報が生成される。ＣＰＵ１６３１は、この認証情報を、画像入力部１６２４から入力する（Ｓ１８０９）。そして、ＣＰＵ１６３１は、この認証情報を、メモリ１６３２に格納する（Ｓ１８１０）。認証情報がメモリ１６３２に格納されることにより、この認証情報がセキュリティ認証装置１６００に登録されたことになる。
【０１３６】
続いて、ＣＰＵ１６３１は、ＬＥＤ制御基板１６４３を制御して、第１のＬＥＤ１６４１を消灯させる（Ｓ１８１１）。これにより、使用者は、認証情報の登録作業が終了したことを知ることができる。
【０１３７】
最後に、ＣＰＵ１６３１は、撮像部１６２０の電源をオフして（Ｓ１８１２）、登録処理を終了する。
【０１３８】
次に、セキュリティキー１７００の認証を行う処理について、図１９、図２０のフローチャートを用いて説明する。
【０１３９】
登録処理で説明したように、ＣＰＵ１６３１は、光センサ１６１２のオン／オフを所定周期でチェックしている（Ｓ１９０１）。そして、光センサ１６１２がオンしたときは、利用者が装置１６００の近くに居ると判断して、撮像部１６２０の電源をオンする（Ｓ１９０２）。
【０１４０】
続いて、ＣＰＵ１６３１は、ＣＣＤ素子１６２３ｃの受光光量をチェックする（Ｓ１９０３）。この受光光量が所定値よりも小さい場合、ＣＰＵ１６３１は、セキュリティキー１７００の嵌合および照明素子１７１０ａの点灯がなされていないと判断して、再び光センサ１６１２のオン／オフをチェックする（Ｓ１９０４）。そして、光センサ１６１２がオンしている場合は、装置１６００の近くに人物が居ると判断されるので、ステップＳ１９０３に戻る。一方、ステップＳ１９０４で光センサ１６１２がオフしている場合は、装置１６００から人物が離れたと判断して撮像部１６２０の電源をオフし（Ｓ１９０５）、ステップＳ１９０１に戻る。
【０１４１】
ステップＳ１９０３で受光光量が所定値よりも大きいかった場合、ＣＰＵ１６３１は、ＬＥＤ制御基板１６４３を制御して、第１のＬＥＤ１６４１を点灯させる（Ｓ１９０６）。これにより、使用者は、セキュリティキー１７００と挿入キャップ１６１１とが正しく嵌合されたことを知ることができる。
【０１４２】
上述の登録処理の場合と同様、照明素子１７１０ａが点灯すると、ＣＣＤ素子１６２３ｃに光学的模様が投影される。ＣＰＵ１６３１は、カメラ制御基板１６２３ｄを制御することにより、この光学的模様をＣＣＤ素子１６２３ｃに撮像させる（Ｓ１９０７）。
【０１４３】
続いて、ＣＰＵ１６３１は、画像入力部１６２４に、ＣＣＤ素子１６２３ｃから入力された画像信号を処理させる（Ｓ１９０８）。この処理により、上述の光学的模様から、認証情報としての画像情報が生成される。ＣＰＵ１６３１は、この認証情報を、画像入力部１６２４から入力する（Ｓ１９０９）。
【０１４４】
次に、ＣＰＵ１６３１は、ＬＥＤ制御基板１６４３を制御して、第１のＬＥＤ１６４１を点滅させる（Ｓ２００１）。これにより、使用者は、ボタン１７１２の押下を止めてセキュリティキー１７００を抜き取るように催促されていることを、認識できる。
【０１４５】
さらに、ＣＰＵ１６３１は、メモリ１６３２に格納された認証情報（上述の登録処理で格納された認証情報）を順次読み出して、これらの認証情報を、画像入力部１６２４から入力された認証情報と照合する（Ｓ２００２）。そして、ＣＰＵ１６３１は、セキュリティキー１７００から読み出した認証情報と一致する認証情報がメモリ１６３２内に格納されているか否かを判定する（Ｓ２００３）。一致する認証情報が格納されている場合、ＣＰＵ１６３１は、ＬＥＤ制御基板１６４３を制御して、第１のＬＥＤ１６４１を点灯させる（Ｓ２００４）。これにより、利用者は、セキュリティキー１７００の正当性が認証されたことを、認識できる。一方、Ｓ２００３において、一致する認証情報が格納されていない場合、ＣＰＵ１６３１は、ＬＥＤ制御基板１６４３を制御して第１のＬＥＤ１６４１を消灯させるとともに（Ｓ２００５）、ＬＥＤ制御基板１６４４を制御して第２のＬＥＤ１６４２を点灯させる（Ｓ２００６）。これにより、利用者は、セキュリティキー１７００が不当であると判定されたことを、認識できる。
【０１４６】
続いて、ＣＰＵ１６３１は、光センサ１６１２のオン／オフのチェックを一定周期で繰り返す（Ｓ２００７）。そして、この光センサ１６１２がオフになった場合は、利用者が装置１６００の近くを離れたと判断して、第１、第２のＬＥＤ１６４１，１６４２を消灯させた後（Ｓ２００８）、撮像部１６２０の電源をオフして（Ｓ２００９）、登録処理を終了する。
【０１４７】
次に、透光板１７０３の製造方法の一例について説明する。図２１は、透光板１７０３の製造装置の概念図である。
【０１４８】
図２１に示したように、この製造装置２１００は、透光板成形型２１１０と、材料投入部２１２１，２１２２，２１２３と、材料投入口２１３１，２１３２，２１３３と、材料排出口２１４１，２１４２，２１４３とを備えている。
【０１４９】
この装置２１００では、３個の材料投入部２１２１，２１２２，２１２３から透光板成形型２１１０に、材料投入口２１３１，２１３２，２１３３を介して、透光板成形材料が投入される。そして、余分な透光板成形材料は、材料排出口２１４１，２１４２，２１４３から外部に排出される。これにより、透光板成形型２１１０で、透光板１７０３を成形化することができる。また、この装置２１００では、３個の材料投入口２１３１，２１３２，２１３３における投入速度や投入圧力を、それぞれ個別に制御することができる。同様に、３個の材料排出口２１４１，２１４２，２１４３における排出速度も、個別に制御することができる。
【０１５０】
このような構造の装置では、透光板成形材料の投入速度、投入圧力または排出速度の一種類以上を制御することにより、透光板成形型２１１０の中央部付近での透光板成形材料の流れを変化させることができる。そして、透光板成形材料の流れを制御することにより、透光板１７０３に、厚さムラやひずみ等による光学特性ムラを、適当な大きさで発生させることができ、したがって、第１の実施の形態の透光板２０２と同様の光学的模様を得ることができる。
【０１５１】
以上説明したように、この実施の形態によれば、セキュリティキー１７００に設けられた透光板１７０３の光学的模様を用いて、セキュリティの認証を行うことができる。
【０１５２】
また、照明機構をセキュリティキー１７００内に設けたので、セキュリティ認証装置１６００を小型化することができる。
【０１５３】
第４の実施の形態
次に、この発明の第４の実施の形態について、説明する。この実施の形態は、第２の偏光板を回転させて光学的模様を読み取る機構を備えている点等が、上述の第３の実施の形態と異なる。
【０１５４】
図２２は、この実施の形態に係るセキュリティ認証装置の構成を概略的に示す概念図である。図２２において、図１７と同じ符号を付した構成要素は、それぞれ、図１７の場合と同じものを示している。
【０１５５】
図２２に示したように、このセキュリティ認証装置２２００は、円筒型ギア２２０１、モータギア２２０２、モータ２２０３、エンコーダ２２０４、反射板２２０５、フォトカプラ２２０６、エンコーダ制御部２２０７およびモータ駆動部２２０８を備えている。
【０１５６】
円筒型ギア２２０１は、第２の偏光板１６２２を回転させる。この円筒型ギア２２０１は、モータギア２２０２によって駆動される。この円筒型ギア２２０１は、表面の反射率が反射板２２０５の反射率よりも低くなるように作製される。
【０１５７】
モータギア２２０２は、モータ２２０３の回転軸に固定されており、この回転軸の回転を、円筒形ギア２２０１に伝達する。
【０１５８】
モータ２２０３は、モータ駆動部２２０８の制御にしたがって、回転軸を回転させる。
【０１５９】
エンコーダ２２０４は、モータ２２０３の回転軸の回転角度を検出するために使用される。
【０１６０】
反射板２２０５は、円筒形ギア２２０１の表面に配置され、フォトカプラ２２０６の発光素子２２０６ａ（後述）の光を反射する。この反射板２２０５は、円筒型ギア２２０１の、回転に対する原点を画定するために使用される。
【０１６１】
フォトカプラ２２０６は、発光素子２２０６ａと受光素子２２０６ｂとを備えている。発光素子２２０６ａの出射光の一部は、この円筒型ギア２２０１の表面または反射板２２０５で反射して、受光素子２２０６ｂに受光される。上述のように、反射板２２０５の反射率は円筒型ギア２２０１の表面の反射率よりも高いので、受光素子２２０６ｂの受光光量は、反射板２２０５で反射するときの方が大きくなる。この実施の形態では、受光素子２２０６ｂの受光光量が所定値よりも大きくなる位置（すなわち、反射板２２０５がフォトカプラ２２０６に対向するような位置）を、円筒形ギア２２０１の原点とする。
【０１６２】
エンコーダ制御部２２０７は、エンコーダ２２０７の検出結果に基づいてモータ２２０３の回転軸の回転角度を判断し、この回転角度をＣＰＵ１６３１に送る。
【０１６３】
モータ駆動部２２０８は、ＣＰＵ１６３１の制御にしたがって、モータ２２０３の駆動制御を行う。
【０１６４】
なお、この実施の形態に係るセキュリティキーとしては、第３の実施の形態に係るセキュリティキー１７００（図１７参照）を、そのまま使用することができる。
【０１６５】
次に、セキュリティ認証装置２２００の動作について説明する。
【０１６６】
最初に、セキュリティキー１７００の認証情報（すなわち透光板１７０３の光学的模様）をセキュリティ認証装置２２００に登録する処理について、図２３および図２４のフローチャートを用いて説明する。
【０１６７】
まず、ＣＰＵ１６３１は、光センサ１６１２のオン／オフをチェックすることにより、装置２２００の近くに人物が居るか否かを判別する（Ｓ２３０１）。利用者が装置２２００に近づいて光センサ１６１２がオンすると、ＣＰＵ１６３１は、撮像部１６２０の電源をオンする（Ｓ２３０２）。
【０１６８】
次に、ＣＰＵ１６３１は、第２の偏光板１６２２の位置を初期化する（Ｓ２３０３）。すなわち、ＣＰＵ１６３１は、モータ２２０３を用いて第２の偏光板１６２２を回転させ、受光素子２２０６ｂの受光光量が所定値よりも大きくなったときに（すなわち、反射板２２０５がフォトカプラ２２０６に対向する位置に達したときに）、このモータ２２０３を停止させる。
【０１６９】
続いて、ＣＰＵ１６３１は、ＣＣＤ素子１６２３ｃの受光光量をチェックする（Ｓ２３０４）。利用者が、セキュリティキー１７００（図１７参照）を挿入キャップ１６１１に嵌め込んでボタン１７１２を押した場合は、照明素子１７１０ａが点灯して、ＣＣＤ素子１６２３ｃの受光光量が所定値よりも大きくなる。したがって、この受光光量が所定値よりも小さい場合、ＣＰＵ１６３１は、セキュリティキー１７００の嵌合および照明素子１７１０ａの点灯がなされていないと判断して、再び光センサ１６１２のオン／オフをチェックする（Ｓ２３０５）。そして、光センサ１６１２がオンしている場合は、装置２２００の近くに人物が居ると判断されるので、ステップＳ２３０４に戻る。一方、ステップＳ２３０５で光センサ１６１２がオフしている場合は、装置２２００から人物が離れたと判断して撮像部１６２０の電源をオフし（Ｓ２３０６）、ステップＳ２３０１に戻る。
【０１７０】
ステップＳ２３０４で受光光量が所定値よりも大きいかった場合、ＣＰＵ１６３１は、ＬＥＤ制御基板１６４３を制御して、第１のＬＥＤ１６４１を点灯させる（Ｓ２３０７）。第１のＬＥＤ１６４１の点灯により、使用者は、セキュリティキー１７００と挿入キャップ１６１１とが正しく嵌合されたことを知ることができる。
【０１７１】
次に、ＣＰＵ１６３１は、登録番号を示す変数Ｐに、初期値「１」を代入する（Ｓ２３０８）。さらに、ＣＰＵ１６３１は、登録数の設定値Ｍに、所定の自然数を代入する（Ｓ２３０９）。Ｍに代入する数値は、例えば、予め装置内の登録しておけばよい。
【０１７２】
その後、ＣＰＵ１６３１は、第３の実施の形態の場合と同様にして、ＣＣＤ素子１６２３ｃに光学的模様を撮像させる（Ｓ２４０１）。さらに、ＣＰＵ１６３１は、画像入力部１６２４に、ＣＣＤ素子１６２３ｃから入力された画像信号を処理させる（Ｓ２４０２）。この処理により、上述の光学的模様から、認証情報が生成される。ＣＰＵ１６３１は、この認証情報を、画像入力部１６２４から入力する（Ｓ２４０３）。そして、ＣＰＵ１６３１は、この認証情報を、登録番号Ｐとともに、メモリ１６３２に格納する（Ｓ２４０４）。認証情報および登録番号Ｐがメモリ１６３２に格納されることにより、この認証情報がセキュリティ認証装置２２００に登録されたことになる。
【０１７３】
続いて、ＣＰＵ１６３１は、登録番号Ｐを、設定値Ｍと比較する（Ｓ２４０５）。そして、Ｐ＜Ｍの場合（すなわち、登録の実行回数がＭ回に達していない場合）、ＣＰＵ１６３１は、第２の偏光板１６２２を、所定角度だけ回転させる（Ｓ２４０６）。この所定角度は、例えば、３６０゜／Ｍとすればよい。ＣＰＵ１６３１が、モータ駆動部２２０８を制御してモータ２２０３の回転軸を回転させることにより、円筒形ギア２２０１を回転させることができ、したがって、第２の偏光板１６２２が回転する。このときの回転角度は、エンコーダ２２０４が読み取った目盛をエンコーダ制御部２２０７で判定することによって、検出される。第２の偏光板１６２２が所定角度だけ回転すると、ＣＰＵ１６３１は回転を停止させ、実行回数Ｐを「１」だけ増数した後（Ｓ２４０７）、ステップＳ２４０１以降を再度実行する。ステップＳ２４０１からステップＳ２４０７までの処理は、ステップＳ２４０５において、Ｐ＝Ｍになるまで（すなわち、登録実行回数がＭ回に達するまで）、繰り返される。これにより、第２の偏光板１６２２を所定角度ずつ回転させながら、Ｍ種類の光学的模様を撮像し、認証情報として登録することができる。光学特性ムラに基づく光学的模様は、２枚の偏光板１６２２，１７０２の重ね合わせ角度に応じて、輝度、柄、色彩が変換する。したがって、これらのＭ種類の光学的模様は、互いに相違する。すなわち、この実施の形態では、１枚の透光板１７０３からＭ種類の認証情報を読み出して、登録する。
【０１７４】
ステップＳ２４０５においてＰ＝Ｍである場合、ＣＰＵ１６３１は、上述のステップＳ２３０３と同様にして、第２の偏光板１６２２の位置を初期化する（Ｓ２４０８）。第２の偏光板１６２２の位置が初期化されると、続いてＣＰＵ１６３１は、第１のＬＥＤ１６４１を消灯させる（Ｓ２４０９）。第１のＬＥＤ１６４１の消灯により、使用者は、認証情報の登録作業が終了したことを知ることができる。
【０１７５】
最後に、ＣＰＵ１６３１は、撮像部１６２０の電源をオフして（Ｓ２４１０）、登録処理を終了する。
【０１７６】
次に、セキュリティキー１７００の認証を行う処理について、図２５〜図２７のフローチャートを用いて説明する。
【０１７７】
登録処理で説明したように、ＣＰＵ１６３１は、光センサ１６１２のオン／オフを所定周期でチェックしている（Ｓ２５０１）。そして、光センサ１６１２がオンしたときは、利用者が装置２２００の近くに居ると判断して、撮像部１６２０の電源をオンする（Ｓ２５０２）。
【０１７８】
次に、ＣＰＵ１６３１は、第２の偏光板１６２２の位置を初期化する（Ｓ２５０３）。すなわち、ＣＰＵ１６３１は、モータ２２０３を用いて第２の偏光板１６２２を回転させ、受光素子２２０６ｂの受光光量が所定値よりも大きくなったときに、このモータ２２０３を停止させる。
【０１７９】
続いて、ＣＰＵ１６３１は、ＣＣＤ素子１６２３ｃの受光光量をチェックする（Ｓ２５０４）。この受光光量が所定値よりも小さい場合、ＣＰＵ１６３１は、セキュリティキー１７００の嵌合および照明素子１７１０ａの点灯がなされていないと判断して、再び光センサ１６１２のオン／オフをチェックする（Ｓ２５０５）。そして、光センサ１６１２がオンしている場合は、装置２２００の近くに人物が居ると判断されるので、ステップＳ２５０４に戻る。一方、ステップＳ２５０５で光センサ１６１２がオフしている場合は、装置２２００から人物が離れたと判断して撮像部１６２０の電源をオフし（Ｓ２５０６）、ステップＳ２５０１に戻る。
【０１８０】
ステップＳ２５０４で受光光量が所定値よりも大きいかった場合、ＣＰＵ１６３１は、ＬＥＤ制御基板１６４３を制御して、第１のＬＥＤ１６４１を点灯させる（Ｓ２５０７）。第１のＬＥＤ１６４１の点灯により、使用者は、セキュリティキー１７００と挿入キャップ１６１１とが正しく嵌合されたことを知ることができる。
【０１８１】
次に、ＣＰＵ１６３１は、登録番号を示す変数Ｐに、初期値「１」を代入する（Ｓ２５０８）。さらに、ＣＰＵ１６３１は、登録数の設定値Ｍに、所定の自然数を代入する（Ｓ２５０９）。Ｍに代入する数値は、上述の登録処理時の設定値Ｍと同じとする。
【０１８２】
その後、ＣＰＵ１６３１は、第３の実施の形態の場合と同様にして、ＣＣＤ素子１６２３ｃに光学的模様を撮像させ（Ｓ２６０１）、さらに、画像入力部１６２４にＣＣＤ素子１６２３ｃから入力された画像信号を処理させる（Ｓ２６０２）。この処理により、上述の光学的模様から、認証情報が生成される。
【０１８３】
ＣＰＵ１６３１は、この認証情報を、画像入力部１６２４から入力して（Ｓ２６０３）、メモリ１６３２に一時的に格納する（Ｓ２６０４）。続いて、ＣＰＵ１６３１は、登録番号Ｐを、設定値Ｍと比較する（Ｓ２６０５）。そして、Ｐ＜Ｍの場合（すなわち、読み出し実行回数ＰがＭ回に達していない場合）、ＣＰＵ１６３１は、登録処理の場合と同様にして、第２の偏光板１６２２を、所定角度だけ回転させる（Ｓ２６０６）。このときの回転角度は、登録処理のときと同一である。第１の偏光板１６２２が所定角度だけ回転すると、ＣＰＵ１６３１は回転を停止させ、実行回数Ｐを「１」だけ増数した後（Ｓ２６０７）、ステップＳ２６０１以降を再度実行する。ステップＳ２６０１からステップＳ２６０７までの処理は、ステップＳ２６０５において、Ｐ＝Ｍになるまで繰り返される。これにより、第２の偏光板１６２２を所定角度ずつ回転させながら、Ｍ種類の光学的模様を、認証情報として読み出すことができる。
【０１８４】
ステップＳ２６０５においてＰ＝Ｍである場合、ＣＰＵ１６３１は、第２の偏光板１６２２の位置を初期化する（Ｓ２６０８）。第２の偏光板１６２２の位置が初期化されると、続いてＣＰＵ１６３１は、第１のＬＥＤ１６４１を点滅させる（Ｓ２６０９）。第１のＬＥＤ１６４１の点滅により、使用者は、認証情報の読み出し処理が終了したことを知ることができる。
【０１８５】
続いて、ＣＰＵ１６３１は、照合番号を示す変数Ｑに、初期値「１」を代入する（Ｓ２７０１）。そして、上述の登録処理で登録されたＱ番目の認証情報（上記Ｓ２４０４参照）と、この認証処理で読み取られたＱ番目の認証情報（上記Ｓ２６０４参照）とメモリ１６３２から読み出して、照合する（Ｓ２７０２）。そして、ＣＰＵ１６３１は、これらの認証情報が一致するか否かを判定する（Ｓ２７０３）。認証情報が一致する場合、ＣＰＵ１６３１は、照合番号Ｑを上述の設定値Ｍと比較する（Ｓ２７０４）。そして、Ｑ≠Ｍの場合（すなわち、照合回数ＱがＭ回に達していない場合）、ＣＰＵ１６３１は、照合番号Ｑを「１」だけ増数して（Ｓ２７０５）、ステップＳ２７０２以降を再度実行する。ステップＳ２７０２からステップＳ２７０５までの処理は、ステップＳ２７０３において認証情報が一致しないと判断されるか、ステップＳ２７０４においてＱ＝Ｍになるまで、繰り返される。
【０１８６】
ステップＳ２７０４においてＱ＝Ｍであると判断された場合、ＣＰＵ１６３１は、第１のＬＥＤ１６４１を点灯させる（Ｓ２７０６）。これにより、利用者は、セキュリティキー１７００の正当性が認証されたことを、認識できる。一方、Ｓ２７０３において認証情報が一致しない場合、ＣＰＵ１６３１は、第１のＬＥＤ１６４１を消灯させるとともに（Ｓ２７０７）、第２のＬＥＤ１６４２を点灯させる（Ｓ２７０８）。これにより、利用者は、セキュリティキー１７００が不当であると判定されたことを、認識できる。
【０１８７】
続いて、ＣＰＵ１６３１は、光センサ１６１２のオン／オフのチェックを一定周期で繰り返す（Ｓ２７０９）。そして、この光センサ１６１２がオフになった場合は、利用者が装置２２００の近くを離れたと判断して、第１、第２のＬＥＤ１６４１，１６４２を消灯させた後（Ｓ２７１０）、ステップＳ２６０４でメモリ１６３２に一時的に登録した画像データを消去し（Ｓ２７１１）、さらに、撮像部１６２０の電源をオフして（Ｓ２７１２）、登録処理を終了する。
【０１８８】
以上説明したように、この実施の形態によれば、第３の実施の形態と同様、透光板１７０３の光学的模様を用いてセキュリティの認証を行うことができ、且つ、セキュリティ認証装置２２００を小型化することができる。
【０１８９】
加えて、この実施の形態では、Ｍ種類の光学的模様を使用して認証を行うので、第２の実施の形態と同じ理由により、セキュリティキー１７００の真偽を高精度に判別することができる。
【０１９０】
【発明の効果】
以上詳細に説明したように、本発明によれば、利用者の身体的特徴を利用せずに、信頼性の高い認証を行うことができる。
【図面の簡単な説明】
【図１】第１の実施の形態に係るセキュリティ認証装置の構造示す概念図である。
【図２】第１の実施の形態に係るセキュリティカードの構造を示す平面図である。
【図３】第１の実施の形態に係るセキュリティ認証装置の登録処理を示すフローチャートである。
【図４】第１の実施の形態に係るセキュリティ認証装置の登録処理を示すフローチャートである。
【図５】第１の実施の形態に係るセキュリティ認証装置の認証処理を示すフローチャートである。
【図６】第１の実施の形態に係るセキュリティ認証装置の認証処理を示すフローチャートである。
【図７】第１の実施の形態に係るセキュリティカード製造装置の概念図である。
【図８】第２の実施の形態に係るセキュリティ認証装置の構造示す概念図である。
【図９】第２の実施の形態に係るセキュリティ認証装置の登録処理を示すフローチャートである。
【図１０】第２の実施の形態に係るセキュリティ認証装置の登録処理を示すフローチャートである。
【図１１】第２の実施の形態に係るセキュリティ認証装置の登録処理を示すフローチャートである。
【図１２】第２の実施の形態に係るセキュリティ認証装置の認証処理を示すフローチャートである。
【図１３】第２の実施の形態に係るセキュリティ認証装置の認証処理を示すフローチャートである。
【図１４】第２の実施の形態に係るセキュリティ認証装置の認証処理を示すフローチャートである。
【図１５】第２の実施の形態に係るセキュリティ認証装置の認証処理を示すフローチャートである。
【図１６】第３の実施の形態に係るセキュリティ認証装置の構造示す概念図である。
【図１７】第３の実施の形態に係るセキュリティキーの構造を示す平面図である。
【図１８】第３の実施の形態に係るセキュリティ認証装置の登録処理を示すフローチャートである。
【図１９】第３の実施の形態に係るセキュリティ認証装置の認証処理を示すフローチャートである。
【図２０】第３の実施の形態に係るセキュリティ認証装置の認証処理を示すフローチャートである。
【図２１】第３の実施の形態に係る透光板製造装置の概念図である。
【図２２】第４の実施の形態に係るセキュリティ認証装置の構造示す概念図である。
【図２３】第４の実施の形態に係るセキュリティ認証装置の登録処理を示すフローチャートである。
【図２４】第４の実施の形態に係るセキュリティ認証装置の登録処理を示すフローチャートである。
【図２５】第４の実施の形態に係るセキュリティ認証装置の認証処理を示すフローチャートである。
【図２６】第４の実施の形態に係るセキュリティ認証装置の認証処理を示すフローチャートである。
【図２７】第４の実施の形態に係るセキュリティ認証装置の認証処理を示すフローチャートである。
【符号の説明】
１００  セキュリティ認証装置
１０１  筐体
１１０  カード受入部
１１１  挿入口
１１２  走行ガイド
１１３  光センサ
１２０  撮像部
１２１  照明器
１２１ａ  照明素子
１２１ｂ  反射板
１２１ｃ  拡散板
１２１ｄ  照明制御基板
１２２  第１の偏光板
１２３  第２の偏光板
１２４  カメラ
１２４ａ  レンズ
１２４ｂ  レンズ台座
１２４ｃ  ＣＣＤ素子
１２４ｄ  カメラ制御基板
１２５  画像入力部
１３０  認証制御部
１３１  ＣＰＵ
１３２  メモリ
１３３  インタフェース部
１４０  表示部
１４１，１４２  ＬＥＤ
１４３，１４４  ＬＥＤ制御基板
１５０  電源部
２００  セキュリティカード
２０１  基板
２０２  透光部
２０３  方向識別穴
【図１】
0004461602.tif 000002
【図２】
0004461602.tif 000003
【図３】
0004461602.tif 000004
【図４】
0004461602.tif 000005
【図５】
0004461602.tif 000006
【図６】
0004461602.tif 000007
【図７】
0004461602.tif 000008
【図８】
0004461602.tif 000009
【図９】
0004461602.tif 000010
【図１０】
0004461602.tif 000011
【図１１】
0004461602.tif 000012
【図１２】
0004461602.tif 000013
【図１３】
0004461602.tif 000014
【図１４】
0004461602.tif 000015
【図１５】
0004461602.tif 000016
【図１６】
0004461602.tif 000017
【図１７】
0004461602.tif 000018
【図１８】
0004461602.tif 000019
【図１９】
0004461602.tif 000020
【図２０】
0004461602.tif 000021
【図２１】
0004461602.tif 000022
【図２２】
0004461602.tif 000023
【図２３】
0004461602.tif 000024
【図２４】
0004461602.tif 000025
【図２５】
0004461602.tif 000026
【図２６】
0004461602.tif 000027
【図２７】
0004461602.tif 000028